(57)【要約】【課題】上位側インタフェースに障害が発生した場合でも、ＰＯＮ区間における輻輳状態の発生を抑制することのできる二重化システムを得る。【解決手段】伝送帯域監視制御部３ａ，３ｂは、ＰＯＮ０系、ＰＯＮ１系の伝送帯域を管理する。上位側インタフェースであるＮＮＩ０系、ＮＮＩ１系のいずれかの通信障害を検知した場合は、スイッチ制御部４は、伝送帯域監視制御部３ａ，３ｂで管理される伝送帯域の値に基づいて、障害が発生した系に接続されていたＰＯＮの系を正常な系に切り替えるようスイッチ部５に指示する。スイッチ部５は、スイッチ制御部４からの指示に基づいて系切替を行う。【選択図】図１
2010193056.tif 000002
【特許請求の範囲】
【請求項１】
少なくとも２系統の光送受信路に対応してそれぞれ設けられ、各光送受信路に接続される光加入者装置の伝送帯域を管理する伝送帯域監視制御部と、
前記各光送受信路と複数の上位側インタフェースとの接続を切り替えるスイッチ部と、
前記いずれかの上位側インタフェースの通信異常を検知した場合、前記それぞれの伝送帯域監視制御部で管理される各光加入者装置の伝送帯域の値に基づいて、正常な上位側インタフェースへの系切替を前記スイッチ部に指示するスイッチ制御部とを備えたことを特徴とする二重化システム。
【請求項２】
スイッチ制御部は、切替先の系の光加入者装置の伝送帯域と切替対象の系の光加入者装置の伝送帯域の合計帯域が、前記切替先の系の最大帯域を超える場合は、前記切替対象の系の光加入者装置における優先フレームを優先的に切り替えることを特徴とする請求項１記載の二重化システム。
【請求項３】
スイッチ制御部は、切替先の系の光加入者装置の伝送帯域と切替対象の系の光加入者装置の伝送帯域の合計帯域が、前記切替先の系の最大帯域を超える場合は、前記切替先の系に全ての光加入者装置の伝送帯域が収容されるよう、収容される各光加入者装置の最低保証帯域を再割当することを特徴とする請求項１記載の二重化システム。
【請求項４】
通信フレームには仮想ＬＡＮにおけるＶＩＤが優先度に応じて付与され、
スイッチ制御部は、優先フレームを前記ＶＩＤに基づいて識別することを特徴とする請求項２に記載の二重化システム。
【請求項５】
スイッチ制御部は、通信フレームのあて先アドレスまたは送信元アドレスに基づいて優先フレームを識別することを特徴とする請求項２記載の二重化システム。
【発明の詳細な説明】
【技術分野】
【０００１】
本発明は、ＰＯＮ（Ｐａｓｓｉｖｅ  Ｏｐｔｉｃａｌ  Ｎｅｔｗｏｒｋ）システムにおいて、上位ネットワーク側への物理的経路の二重化構造を提供する二重化システムに関するものである。
【背景技術】
【０００２】
従来、局内装置（ＯＬＴ：Ｏｐｔｉｃａｌ  Ｌｉｎｅ  Ｔｅｒｍｉｎａｌ）と複数の光加入者装置（ＯＮＵ：Ｏｐｔｉｃａｌ  Ｎｅｔｗｏｒｋ  Ｕｎｉｔ）との間を光カプラを介してスター型に接続するＰＯＮシステムにおいて、光伝送路を二重化構成したものがあった（例えば、特許文献１、２参照）。
【先行技術文献】
【特許文献】
【０００３】
【特許文献１】特開２００１−３２６６５４号公報
【特許文献２】特開２００４−１７９７２３号公報
【発明の概要】
【発明が解決しようとする課題】
【０００４】
上記のような二重化システムはＰＯＮ区間の物理的経路を二重化したものであり、ＰＯＮ区間の障害発生時に経路を選択することにより、伝送パスを維持するものであるが、ＯＬＴの上位側インタフェースである２系統のＮＮＩ（Ｎｅｔｗｏｒｋ  Ｎｏｄｅ  Ｉｎｔｅｒｆａｃｅ）に障害が発生した際に、一方のＮＮＩポートにトラフィックが集中し、その結果、ＰＯＮ区間にて輻輳が発生するという問題点があった。
【０００５】
この発明は上記のような課題を解決するためになされたもので、上位側インタフェースに障害が発生した場合でも、ＰＯＮ区間における輻輳状態の発生を抑制することのできる二重化システムを得ることを目的とする。
【課題を解決するための手段】
【０００６】
この発明に係る二重化システムは、少なくとも２系統の光送受信路に対応してそれぞれ設けられ、各光送受信路に接続される光加入者装置の伝送帯域を管理する伝送帯域監視制御部と、各光送受信路と複数の上位側インタフェースとの接続を切り替えるスイッチ部と、いずれかの上位側インタフェースの通信異常を検知した場合、それぞれの伝送帯域監視制御部で管理される各光加入者装置の伝送帯域の値に基づいて、正常な上位側インタフェースへの系切替をスイッチ部に指示するスイッチ制御部とを備えたものである。
【発明の効果】
【０００７】
この発明の二重化システムは、上位側インタフェースの通信異常を検知した場合、各光加入者装置の伝送帯域の値に基づいて、正常な上位側インタフェースへの系切替を行うようにしたので、上位側インタフェースに障害が発生した場合でも、ＰＯＮ区間における輻輳状態の発生を抑制することができる。
【図面の簡単な説明】
【０００８】
【図１】この発明の実施の形態１によるプログラム装置を示す構成図である。
【発明を実施するための形態】
【０００９】
実施の形態１．
図１は、この発明の実施の形態１による二重化システムを適用したＰＯＮシステムを示す構成図である。
図１に示すＰＯＮシステムは、局内装置（以下、ＯＬＴという）１と、光カプラ１０ａ,１０ｂと、光加入者装置（以下、ＯＮＵという）１００ａ−１〜１００ａ−ｎ，１００ｂ−１〜１００ｂ−ｎと、加入者端末１１０ａ−１〜１１０ａ−ｎ，１１０ｂ−１〜１１０ｂ−ｎを備えている。
ＯＬＴ１は、局側の回線終端装置であり、一方の系（０系）の伝送路に対応した光送受信部２ａと伝送帯域監視制御部３ａと、もう一方の系（１系）の伝送路に対応した光送受信部２ｂと伝送帯域監視制御部３ｂと、スイッチ制御部４と、スイッチ部５を備えている。
【００１０】
光送受信部２ａは、０系の光カプラ１０ａを介してＯＮＵ１００ａ−１〜１００ａ−ｎとの信号の送受信を行う機能部であり、光送受信部２ｂは、１系の光カプラ１０ｂを介してＯＮＵ１００ｂ−１〜１００ｂ−ｎとの信号の送受信を行う機能部である。伝送帯域監視制御部３ａは、０系として収容しているＯＮＵ１００ａ−１〜１００ａ−ｎの最低保証帯域、割当帯域、使用帯域、優先フレームの使用帯域といった伝送帯域情報を元にして０系の通信制御を行う機能部であり、伝送帯域監視制御部３ｂは、伝送帯域監視制御部３ａと同様の１系の通信制御を行う機能部である。
【００１１】
スイッチ制御部４は、スイッチ部５の切替制御を行うもので、上位のネットワークであるＮＮＩ０系，ＮＮＩ１系のいずれかに障害が発生した場合、伝送帯域監視制御部３ａ，３ｂの情報に基づいて、障害が発生していない正常な系への切替制御を行うよう構成されている。スイッチ部５は、ＰＯＮ側の経路とＮＮＩ側の経路とを切り替えるスイッチであり、スイッチ制御部４の切替制御によって、ＰＯＮ０系とＰＯＮ１系とを、ＮＮＩ０系とＮＮＩ１系のいずれかに通信接続する。
【００１２】
また、光カプラ１０ａ,１０ｂは、それぞれのＯＮＵ１００ａ−１〜１００ａ−ｎ，１００ｂ−１〜１００ｂ−ｎをＯＬＴ１に接続するための光分岐回路である。ＯＮＵ１００ａ−１〜１００ａ−ｎ，１００ｂ−１〜１００ｂ−ｎは、加入者側の回線終端装置であり、ＯＮＵ１００ａ−１〜１００ａ−ｎは０系のＯＮＵ、ＯＮＵ１００ｂ−１〜１００ｂ−ｎは１系のＯＮＵである。加入者端末１１０ａ−１〜１１０ａ−ｎ，１１０ｂ−１〜１１０ｂ−ｎは、それぞれＯＮＵ１００ａ−１〜１００ａ−ｎ，１００ｂ−１〜１００ｂ−ｎに接続される通信端末である。
【００１３】
次に、実施の形態１の二重化システムの動作について説明する。
先ず、通常の動作では、各加入者端末１１０ａ−１〜１１０ａ−ｎ，１１０ｂ−１〜１１０ｂ−ｎからの通信は、必要な通信データの優先度、使用帯域に基づき、予め伝送帯域監視制御部３ａ，３ｂにて割り当てられた帯域内で行われる。加入者端末１１０ａ−１〜１１０ａ−ｎ，１１０ｂ−１〜１１０ｂ−ｎからのデータは、それぞれのＯＮＵ１００ａ−１〜１００ａ−ｎ，１００ｂ−１〜１００ｂ−ｎを介して、ＯＬＴ１の光送受信部２ａ，２ｂにて処理され、スイッチ部５を介してＮＮＩポートより上位のネットワークに出力される。このとき、０系に収容された加入者端末１１０ａ−１〜１１０ａ−ｎからの通信はＮＮＩ０系を介して行われ、１系に収容された加入者端末１１０ｂ−１〜１１０ｂ−ｎからの通信はＮＮＩ１系を介して通信は行われるものとする。即ち、通常の動作では、スイッチ制御部４は、伝送帯域監視制御部３ａで制御されるデータはＮＮＩ０系に、伝送帯域監視制御部３ｂで制御されるデータはＮＮＩ１系に接続されるようスイッチ部５の制御を行う。
【００１４】
次に、上位ネットワークに障害が発生した場合について説明する。ここでは、ＮＮＩ１系に障害が発生したとして以下説明する。
スイッチ制御部４は、例えばＮＮＩ１系のリンクダウンといったことによりＮＮＩ１系に障害が発生したことを検知すると、スイッチ部５に対して、０系への切替を指示する。
このとき、ＮＮＩ０系への切替は、伝送帯域監視制御部３ａおよび伝送帯域監視制御部３ｂからの最低保証帯域、割当帯域、使用帯域、優先フレームの使用帯域の伝送帯域情報を元に全帯域をＮＮＩ０系に収容可能であれば、全通信帯域の切替を行う。一方、全使用帯域の切替がＮＮＩ０系の帯域を超過する場合は、ＮＮＩ１系に収容されている加入者端末１１０ｂ−１〜１１０ｂ−ｎからの優先フレームの使用帯域を優先的にＮＮＩ０系に切り替える。尚、優先フレームの識別は、例えば、ＩＰパケットのＴＯＳ（Ｔｙｐｅ  Ｏｆ  Ｓｅｒｖｉｃｅ）フィールドの値で識別する。
このような切替制御により、１系に収容されている加入者端末１１０ｂ−１〜１１０ｂ−ｎからの優先フレームの通信を継続させることができる。
【００１５】
以上のように、実施の形態１の二重化システムによれば、少なくとも２系統の光送受信路に対応してそれぞれ設けられ、各光送受信路に接続される光加入者装置の伝送帯域を管理する伝送帯域監視制御部と、各光送受信路と複数の上位側インタフェースとの接続を切り替えるスイッチ部と、いずれかの上位側インタフェースの通信異常を検知した場合、それぞれの伝送帯域監視制御部で管理される各光加入者装置の伝送帯域の値に基づいて、正常な上位側インタフェースへの系切替をスイッチ部に指示するスイッチ制御部とを備えたので、上位側インタフェースに障害が発生した場合でも、ＰＯＮ区間における輻輳状態の発生を抑制することができる。
【００１６】
また、実施の形態１の二重化システムによれば、スイッチ制御部は、切替先の系の光加入者装置の伝送帯域と切替対象の系の光加入者装置の伝送帯域の合計帯域が、切替先の系の最大帯域を超える場合は、切替対象の系の光加入者装置における優先フレームを優先的に切り替えるようにしたので、障害が発生した系に接続されていた光加入者装置からの優先フレームの通信を継続させることができる。
【００１７】
実施の形態２．
実施の形態２は、障害発生時に正常な系への切替を行った場合に、切替先の系の最大帯域を超えてしまう場合に、切替先の系の最大帯域に全ての光加入者装置の帯域が収容されるよう、収容される各光加入者装置の最低保証帯域を再割当するようにしたものである。ここで、図面上の構成は実施の形態１と同様であるため、図１を用いて説明する。
実施の形態２におけるスイッチ制御部４は、切替先の系（仮に０系であるとする）のＯＮＵ１００ａ−１〜１００ａ−ｎの伝送帯域と切替対象の系（１系であるとする）のＯＮＵ１００ｂ−１〜１００ｂ−ｎの伝送帯域の合計帯域が、切替先の系の最大帯域を超える場合は、切替先の系に全てのＯＮＵ１００ａ−１〜１００ａ−ｎ，１００ｂ−１〜１００ｂ−ｎの伝送帯域が収容されるよう、収容される各ＯＮＵ１００ａ−１〜１００ａ−ｎ，１００ｂ−１〜１００ｂ−ｎの最低保証帯域を再割当するよう構成されている。これ以外の構成については実施の形態１と同様であるため、その説明は省略する。
【００１８】
次に、実施の形態２の二重化システムの動作について説明する。
先ず、ＰＯＮシステムとして以下の構成であるとする。
●０系にはＯＮＵ１００ａ−１〜１００ａ−ｎが１０台接続され、各ＯＮＵ１００ａ−１〜１００ａ−ｎには最大帯域１Ｇｂｐｓ、最低保証帯域８０Ｍｂｐｓが割り当てられている。
●１系にはＯＮＵ１００ｂ−１〜１００ｂ−ｎが６台接続され、各ＯＮＵ１００ａ−１〜１００ａ−ｎには最大帯域１Ｇｂｐｓ、最低保証帯域８０Ｍｂｐｓが割り当てられている。
【００１９】
このような構成において、通常時の動作は次の通りである。
０系では、１０台のＯＮＵ１００ａ−１〜１００ａ−ｎに対して、最低保証帯域を８０Ｍｂｐｓ割り当てており、合計８００Ｍｂｐｓ分が使用予定として各ＯＮＵ１００ａ−１〜１００ａ−ｎに割り当てられている。また、残りの２００Ｍｂｐｓ分は、ＯＮＵ１０台のうち、通信を行うＯＮＵ数で均等に分配され、通信が行われる。例えば、通信を行うＯＮＵ数が４台であった場合、それぞれ５０Ｍｂｐｓずつが分配される。
上記の１系も同様に、６台のＯＮＵ１００ｂ−１〜１００ｂ−ｎに対して最低保証帯域を８０Ｍｂｐｓを割り当てており、合計４８０Ｍｂｐｓ分が使用予定として各ＯＮＵに割り当てられる。
【００２０】
このような状態でＮＮＩ１系に障害が発生した場合について次に説明する。
（１）ＮＮＩ１系に障害（リンクダウン）が発生する。
（２）スイッチ部５からスイッチ制御部４にＮＮＩ１系の異常が通知される。
（３）スイッチ制御部４は、伝送帯域監視制御部３ａ，３ｂから各ＯＮＵに割り当てた帯域情報（上記の０系と１系の割当情報）を取得する。
（４）スイッチ制御部４は、割り当てた帯域を以下の通り再計算する。
ａ．ＰＯＮ０系に接続されたＯＮＵ１０台の最低保証帯域を合計する。
８０Ｍｂｐｓ×１０台＝８００Ｍｂｐｓ
ｂ．ＰＯＮ１系に接続されたＯＮＵ６台の最低保証帯域を合計する。
８０Ｍｂｐｓ×６台＝４８０Ｍｂｐｓ
ｃ．上記ａ，ｂの最低保証帯域を合計する。
ｄ．ｃで算出された合計帯域が３．の最大帯域１Ｇｂｐｓを超過したため、再割当最低保証帯域を算出する。
１Ｇｂｐｓ／（１０台＋６台）＝６２．５Ｍｂｐｓ
（５）スイッチ制御部４は、伝送帯域監視制御部３ａ，３ｂに対して、各ＯＮＵの最低保証帯域を６２．５Ｍｂｐｓとして再割当する。
（６）ＰＯＮ１系に収容されたＯＮＵ６台の通信路をＮＮＩ１系からＮＮＩ０系に切り替える。
【００２１】
上記の例では、（４）のｃにて最大帯域１Ｇｂｐｓを超過したため、ｄにて再割当計算を行い、（５）にて再割当を行い、（６）にてＰＯＮ１系に収容されたＯＮＵの通信を再開することができる。
また、上記（４）の算出アルゴリズムには、均等に分配する例について示しているが、ＰＯＮ０系、ＰＯＮ１系に接続される各ＯＮＵの最低保証帯域が異なる場合は、次の式により比例分配することが可能である。
各ＯＮＵの再割当最低保証帯域＝１Ｇｂｐｓ×（ｋ番目のＯＮＵの最低保証帯域）／（全ＯＮＵの最低保証帯域の合計）
【００２２】
尚、上記例では上りの帯域制御について説明したが、下りも同様に適用が可能である。また、ＮＮＩ０系に障害が発生した場合もＮＮＩ１系に同様に切り替えることができる。
【００２３】
以上のように、実施の形態２の二重化システムによれば、スイッチ制御部は、切替先の系の光加入者装置の伝送帯域と切替対象の系の光加入者装置の伝送帯域の合計帯域が、切替先の系の最大帯域を超える場合は、切替先の系に全ての光加入者装置の伝送帯域が収容されるよう、収容される各光加入者装置の最低保証帯域を再割当するようにしたので、上位側インタフェースに障害が発生した場合でも、全ての光加入者装置に対して通信を保証することができる。
【００２４】
実施の形態３．
実施の形態３は、ＶＬＡＮを使用する場合にＶＩＤ（ＶＬＡＮ  Ｉｄｅｎｔｉｆｉｅｒ）の値を用いて系切替を行うようにしたものである。
ここで、図面上の構成は実施の形態１と同様であるため、図１を用いて説明する。
実施の形態３において、加入者端末１１０ａ−１〜１１０ａ−ｎ，１１０ｂ−１〜１１０ｂ−ｎまたはＯＮＵ１００ａ−１〜１００ａ−ｎ，１００ｂ−１〜１００ｂ−ｎは、上位ネットワークとの通信を仮想ＬＡＮ（ＶＬＡＮ）を用いて行い、また、データの優先度に対応したＶＩＤを付与する。尚、ＶＩＤは、イーサネット（登録商標）フレームの中にＶＬＡＮタグのフィールドがあり、そのフィールドの値である。
また、スイッチ制御部４は、いずれかの系の障害を検知した場合、ＶＩＤの値に基づいてスイッチ部５における系切替の制御を行うよう構成されている。これ以外の構成については実施の形態１と同様であるため、その説明は省略する。
【００２５】
本実施の形態では、加入者端末１１０ａ−１〜１１０ａ−ｎ，１１０ｂ−１〜１１０ｂ−ｎやＯＮＵ１００ａ−１〜１００ａ−ｎ，１００ｂ−１〜１００ｂ−ｎは、通信するデータの種別に対応したＶＩＤを付与して通信を行う。例えば、音声通話のようなリアルタイム性が要求されるデータはその優先度を高くすることを示すＶＩＤ＝Ａを付与し、インターネットのようなリアルタイム性を要求されない低優先データにはＶＩＤ＝Ｂのような識別情報を付与する。また、このＶＩＤは、加入者端末１１０ａ−１〜１１０ａ−ｎ，１１０ｂ−１〜１１０ｂ−ｎまたはＯＮＵ１００ａ−１〜１００ａ−ｎ，１００ｂ−１〜１００ｂ−ｎで付与するとする。
【００２６】
（１）通常は、ＰＯＮ０系に収容されたＯＮＵとの通信はＮＮＩ０系を通して上位のネットワークとの通信を行い、ＰＯＮ１系に収容されたＯＮＵとの通信はＮＮＩ１系を通して上位のネットワークとの通信を行う。
（２）ＮＮＩ１系に障害が発生した場合、スイッチ部５からスイッチ制御部４に対して障害発生を示す通知が行われる。
（３）スイッチ制御部４からスイッチ部５に対し、ＰＯＮ１系に収容しているＯＮＵからの通信フレームのうち、ＶＩＤ＝Ａのフレームを優先的にＮＮＩ０系に切り替えるよう指示を行う。
（４）ＰＯＮ１系に収容しているＯＮＵからの通信をスイッチ部５にて受信し、高優先データであるＶＩＤ＝Ａの通信フレームをＮＮＩ０系に切り替える。
（５）ＰＯＮ１系より出力される各ＯＮＵからの低優先データＶＩＤ＝Ｂは伝送帯域監視制御部３ａ，３ｂからの各ＯＮＵの使用帯域情報をスイッチ制御部４で合計し、ＮＮＩ０系への割当が可能であれば、ＮＮＩ０系への切替を行う。
【００２７】
尚、上記例では上りの信号について説明したが、下りの場合も同様にＰＯＮ１系に収容されたＯＮＵに高優先のデータを流すことで優先データの導通を維持する。また、ＮＮＩ０系に障害が発生した場合も同様にＮＮＩ１系への切替動作を行う。
【００２８】
以上のように、実施の形態３の二重化システムによれば、通信フレームには仮想ＬＡＮにおけるＶＩＤが優先度に応じて付与され、スイッチ制御部は、優先フレームをＶＩＤに基づいて識別するようにしたので、ＶＬＡＮを使用して通信を行う場合でも容易に優先フレームを識別することができる。
【００２９】
実施の形態４．
実施の形態４は、系切替を特定のマルチキャストアドレスや特定範囲のユニキャストアドレスに基づいて行うようにしたものである。
実施の形態４の二重化システムにおいても図面上の構成は実施の形態１と同様であるため、図１を用いて説明する。
実施の形態４において、加入者端末１１０ａ−１〜１１０ａ−ｎ，１１０ｂ−１〜１１０ｂ−ｎまたはＯＮＵ１００ａ−１〜１００ａ−ｎ，１００ｂ−１〜１００ｂ−ｎは、マルチキャストデータおよびユニキャストデータを通信で用いることとし、特定のマルチキャストアドレスや、特定範囲のユニキャストアドレスのデータを優先度が高いデータとする。例えば、マルチキャストアドレスを用いて伝送するデータとして、放送や緊急時の一斉同報放送等がある。このようなデータは途切れさせずに伝送する必要があり、そのためマルチキャストデータを優先させる。
スイッチ制御部４は、いずれかの系の障害を検知した場合、特定のマルチキャストアドレスや特定範囲のユニキャストアドレスといった送信先アドレスの値に基づいてスイッチ部５における系切替の制御を行うよう構成されている。これ以外の構成については実施の形態１と同様であるため、その説明は省略する。
【００３０】
（１）通常は、ＰＯＮ０系に収容されたＯＮＵとの通信はＮＮＩ０系を通して上位のネットワークとの通信を行い、ＰＯＮ１系に収容されたＯＮＵとの通信はＮＮＩ１系を通して上位のネットワークとの通信を行う。
（２）ＮＮＩ１系に障害が発生した場合、スイッチ部５からスイッチ制御部４に対して障害発生を示す通知が行われる。
（３）スイッチ制御部４からスイッチ部５に対し、ＰＯＮ１系に収容しているＯＮＵからの通信フレームのうち、特定のマルチキャストアドレス（または、特定範囲のユニキャストアドレス）のデータを持つフレームを優先的にＮＮＩ０系に切り替えるよう指示を行う。
（４）ＰＯＮ１系に収容しているＯＮＵからの通信をスイッチ部５にて受信し、高優先データである特定のマルチキャストアドレス（または、特定範囲のユニキャストアドレス）を持つ通信フレームをＮＮＩ０系に切り替える。
（５）ＰＯＮ１系より出力される各ＯＮＵからの低優先データ（特定範囲以外のユニキャストデータ等）は伝送帯域監視制御部３ａ，３ｂからの各ＯＮＵの使用帯域情報をスイッチ制御部４で合計し、ＮＮＩ０系への割当が可能であれば、ＮＮＩ０系への切替を行う。
【００３１】
尚、上記例では実施の形態３と同様に上りの信号について説明したが、下りの場合も同様にＰＯＮ１系に収容されたＯＮＵに対し、特定のマルチキャストアドレスのフレームを優先して導通させることで、優先データの通信を維持することができる。また、ＮＮＩ０系に障害が発生した場合も同様にＮＮＩ１系への切替動作を行う。
また、あて先アドレスの値に基づいて優先フレームを識別するようにしたが、送信元アドレスの値に基づいて識別するようにしてもよい。
【００３２】
また、ユニキャスト、マルチキャストの最低帯域の合計を計算し、切替先の系の帯域以下の場合にのみ切り替えるようにしてもよく、次にこの例について説明する。
●０系に接続されたＯＮＵのユニキャストの最低保証帯域の合計がＵ０であるとし、０系に接続されたＯＮＵのマルチキャストの最低保証帯域の合計がＭ０であるとする。
●同様に、１系に接続されたＯＮＵのユニキャストの最低保証帯域の合計がＵ１であるとし、１系に接続されたＯＮＵのマルチキャストの最低保証帯域の合計がＭ１であるとする。
●ＰＯＮの最大帯域をＢとする。
【００３３】
このような状態でＮＮＩ１系に障害が発生した場合について説明する。
（１）伝送帯域監視制御部３ａ，３ｂより通知されるＵ０、Ｍ０、Ｕ１、Ｍ１を用いて次の計算を行う。
ａ．０系の最低保証帯域合計ＭｉｎＢＷ０＝Ｕ０＋Ｍ０
ｂ．１系の最低保証帯域合計ＭｉｎＢＷ１＝Ｕ１＋Ｍ１
ｃ．割当可能帯域算出  Ｂ−ＭｉｎＢＷ０
（２）次を算出し、処理を行う。
ａ．割当可能帯域−１系の最低保証帯域合計≧０であれば、ＰＯＮ１に収容されたＯＮＵの通信をＮＮＩ０系に切り替える。
ｂ．割当可能帯域−１系の最低保証帯域合計＜０であれば、ＰＯＮ１に収容されたＯＮＵの通信をＮＮＩ０系に切り替えない。
【００３４】
尚、上記の説明では、ユニキャスト、マルチキャストの最低帯域の合計を計算し、切替先の系の割当可能帯域以下の場合にのみ切り替えるようにしたが、実施の形態２で説明したように、最低保証帯域の値を変更する再割当制御を行って収容するようにしてもよい。
【００３５】
以上のように、実施の形態４の二重化システムによれば、スイッチ制御部は、通信フレームのあて先アドレスまたは送信元アドレスに基づいて優先フレームを識別するようにしたので、通信フレームに優先フレームを識別するための特別な情報を付加する必要がなく、容易に優先フレームを識別することができる。
【符号の説明】
【００３６】
１  局内装置（ＯＬＴ）、２ａ，２ｂ  光送受信部、３ａ，３ｂ  伝送帯域監視制御部、４  スイッチ制御部、５  スイッチ部、１０ａ，１０ｂ  光カプラ、１００ａ−１〜１００ａ−ｎ，１００ｂ−１〜１００ｂ−ｎ  光加入者装置（ＯＮＵ）、１１０ａ−１〜１１０ａ−ｎ，１１０ｂ−１〜１１０ｂ−ｎ  加入者端末。
【図１】
2010193056.tif 000003